(57)【特許請求の範囲】
【請求項１】
少なくとも映像信号と文字情報とを含む情報信号から文字情報を抽出する抽出手段と、
該文字情報を映像信号に付加する付加手段と、
上記付加手段を制御し、特殊再生時には文字情報の文字コードを制御コードに書き換える制御手段とを備え、
上記特殊再生が正方向スローの場合は、上記付加手段は、映像の同じフィールドを繰り返し送る際に該映像信号に１フィールドに対応する文字情報を初回のみ付加した後は、繰り返されるフィールドに対して非出力コードを付加することを特徴とする情報信号処理装置。
【請求項２】
上記付加手段は、上記映像信号のブランキング期間内の第２１ライン及び／又は第２８４ライン上に文字情報を付加することを特徴とする請求項１記載の情報信号処理装置。
【請求項３】
上記特殊再生がポーズの場合には、上記制御コードは非出力コードであることを特徴とする請求項１記載の情報信号処理装置。
【請求項４】
該文字情報に制御コードが２個続いて現れる場合には、２番目の制御コードは送らないことを特徴とする請求項１記載の情報信号処理装置。
【請求項５】
上記特殊再生がランダムアクセスの場合には、上記付加手段は、バッファに蓄積された文字情報を消去する制御コードを付加することを特徴とする請求項１記載の情報信号処理装置。
【請求項６】
少なくとも映像信号と文字情報とを含む情報信号から文字情報を抽出する抽出手段と、
該文字情報を映像信号に付加する付加手段と、
上記付加手段を制御し、特殊再生時には文字情報の文字コードを制御コードに書き換える制御手段とを備え、
上記特殊再生がランダムアクセスの場合には、該文字情報に制御コードが現れてから文字情報を映像信号に付加することを特徴とする情報信号処理装置。
【請求項７】
少なくとも映像信号と文字情報とを含む情報信号から文字情報を抽出する工程と、
該文字情報を映像信号に付加する工程と、
特殊再生時には文字情報を制御コードに書き換える工程とを備え、
上記特殊再生が正方向スローの場合は、上記付加工程では、映像の同じフィールドを繰り返し送る際に該映像信号に１フィールドに対応する文字情報を初回のみ付加した後は、繰り返されるフィールドに対して非出力コードを付加することを特徴とする情報信号処理方法。
【請求項８】
上記映像信号のブランキング期間内の第２１ライン及び／又は第２８４ラインに文字情報を付加することを特徴とする請求項７記載の情報信号処理方法。
【請求項９】
上記特殊再生がポーズの場合には、上記制御コードは非出力コードであることを特徴とする請求項７記載の情報信号処理方法。
【請求項１０】
該文字情報に制御コードが２個続いて現れる場合には、２番目の制御コードは送らないことを特徴とする請求項７記載の情報信号処理方法。
【請求項１１】
上記特殊再生がランダムアクセスの場合には、上記付加手段は、バッファに蓄積された文字情報を消去する制御コードを付加することを特徴とする請求項７記載の情報信号処理方法。
【請求項１２】
少なくとも映像信号と文字情報とを含む情報信号から文字情報を抽出する工程と、
該文字情報を映像信号に付加する工程と、
特殊再生時には文字情報を制御コードに書き換える工程とを備え、
上記特殊再生がランダムアクセスの場合には、該文字情報に制御コードが現れてから文字情報を映像信号に付加することを特徴とする情報信号処理方法。
【発明の詳細な説明】
【０００１】
【発明の属する技術分野】
この発明は、少なくとも映像情報及び文字情報を含む情報信号、文字情報を付加された映像信号から文字情報を抽出して処理する情報信号処理装置及び情報信号処理方法に関する。
【０００２】
【従来の技術】
従来、映像、音声等の情報信号をディスクの記録層に光学的に記録する光ディスクが提供されている。これら光ディスクとしては、例えば、アナログビデオディスク、ビデオＣＤ、デジタルビデオディスク、いわゆるＤＶＤ等を挙げることができる。
【０００３】
ここで、アナログディスクの一例としては、片面６０分の映像と音声をアナログ方式で記録する直径３０ｃｍの光ディスクが知られている。ビデオＣＤとは、いわゆるＣＤをデジタル方式にて映像に対応するように拡張した直径１２ｃｍの光ディスクである。ＤＶＤとは、映像及び音声を、片面又は両面に備えられる１層又は２層の記録層に記録する直径１２ｃｍの光ディスクである。
【０００４】
これらの光ディスクに記録されている映像には、字幕や他の説明文、テキスト等の文字情報に対応する文字コードが付加、即ち符号化されことがある。これらの文字情報は、該映像がテレビジョン受像器等において表示画面に表示される際に、画面の一部に表示されて種々の情報を提供する。このような文字情報又はクローズド・キャプション（Closed Caption; CC）と言われている。なお、この文字情報は、文字コードと制御コードを含む。上記文字コードの一例としては、いわゆるアスキーコードがある。
【０００５】
ここで、文字情報は、光ディスクの種類に固有の態様にて記録されている。即ち、アナログディスクにおいては、文字情報は映像信号のブランク期間の第２１ライン及び／又は第２８４ラインに各々２バイト含まれている。ビデオＣＤにおいては、文字情報はアナログディスクと同様に映像信号のブランク期間の第２１ライン及び／又は第２８４ラインに含まれる場合と、映像信号とは別に文字情報として記録されている場合とがある。ＤＶＤにおいては、文字情報は映像情報とは別個に記録されている。
【０００６】
文字情報が映像信号に含まれる場合の一例は、図１５中の（ａ）に示すように、図１５中の（ｂ）に示す通常のラインとは異なり、文字Ｃ１及び文字Ｃ２がそれぞれ１バイトで符号化されている。
【０００７】
一方、いわゆる文字多重機能を有するテレビジョン受像器が提供されている。このようなテレビジョン受像器は、映像信号のブランク期間の第２１ライン及び／又は第２８４ラインに含まれている文字コードをデコードして、表示画面の一部に文字列として表示する機能を有する。
【０００８】
ここで、図１６によって、文字多重機能を有するテレビジョン受像器における文字情報の表示の態様の一例を示す。このテレビジョン受像器１７においては、第２１ラインＬ２１及び／又は第２８４ラインＬ２８４に符号化された文字情報は、表示画面１７ａ上の有効画面の第１行Ｒ１から第１５行Ｒ１５に表示されている。
【０００９】
上記ＤＶＤあるいは一部のビデオＣＤのように、文字情報が映像信号とは別個に記録されている媒体から読み出した映像及び文字情報を上述の文字多重機能を有するテレビジョン装置に表示させるためには、該文字情報を映像信号に符号化する必要がある。
【００１０】
そこで、ＤＶＤ等から情報信号を読み出してこの情報信号に処理を行う情報信号処理装置において、第２１ラインＬ２１及び／又は第２８４ラインＬ２８４に映像に対応する文字情報を符号化した映像信号を供給している。
【００１１】
他方、文字多重化機能を有するテレビジョン受像器においても、再生状態でしか文字情報を表示することができなかった。また、ランダムアクセスをした最初は、文字情報の表示が乱れることがあった。
【００１２】
【発明が解決しようとする課題】
上述のように、文字情報は、映像信号のブランク期間の第２１ラインＬ２１及び／又は第２８４ラインＬ２８４に文字コードとして符号化されているので、プレイのように一連の映像が順に送られる再生の態様においては、文字情報は映像に対応して正常に表示される。
【００１３】
しかし、例えばランダムアクセスにおいては、該映像に対応する文字情報の一部分や、直前に再生していた該映像に対応する文字情報の一部分が表示される。また、ポーズにおいては、該画像に対応する文字情報の一部分が繰り返して表示される。正方向スロー及び逆方向スローにおいても、文字情報の一部分が一定の回数繰り返して表示される。
【００１４】
即ち、上記情報処理装置における、映像に対応する文字情報の文字コード符号化によると、ランダムアクセス、ポーズ、正方向スロー、逆方向スロー等の特殊再生の際に、文字情報が正常に表示されないといった問題があった。
【００１５】
この発明は、上述の実情に鑑みて提案されるものであって、特殊再生の場合にも、文字情報を正常に表示する映像信号を与える情報信号処理装置及び情報信号処理方法を提供することを目的とする。
【００１６】
【課題を解決するための手段】
上述の課題を解決するためにこの発明に係る情報信号処理装置は、少なくとも映像信号と文字情報とを含む情報信号から文字情報を抽出する抽出手段と、該文字情報を映像信号に付加する付加手段と、上記付加手段を制御し、特殊再生時には文字情報の文字コードを制御コードに書き換える制御手段とを備え、上記特殊再生が正方向スローの場合は、上記付加手段は、映像の同じフィールドを繰り返し送る際に該映像信号に１フィールドに対応する文字情報を初回のみ付加した後は、繰り返されるフィールドに対して非出力コードを付加するものである。
【００１７】
また、上記情報信号処理装置においては、上記付加手段は、上記映像信号のブランキング期間内の第２１ラインＬ２１及び／又は第２８４ラインＬ２８４に上記文字情報を付加するものである。
【００１８】
そして、上記情報信号処理装置においては、上記特殊再生がポーズの場合には、上記制御コードは非出力コードである。
【００１９】
さらに、上記情報信号処理装置においては、該文字情報に制御コードが２個続いて現れる場合には、２番目の制御コードは送らず、上記特殊再生がランダムアクセスの場合には、上記付加手段は、バッファに蓄積された文字情報を消去する制御コードを付加するものである。
【００２０】
上述の課題を解決するために、この発明に係る情報信号処理装置は、少なくとも映像信号と文字情報とを含む情報信号から文字情報を抽出する抽出手段と、該文字情報を映像信号に付加する付加手段と、上記付加手段を制御し、特殊再生時には文字情報の文字コードを制御コードに書き換える制御手段とを備え、上記特殊再生がランダムアクセスの場合には、該文字情報に制御コードが現れてから文字情報を映像信号に付加するものである。
【００２１】
上述の課題を解決するために、この発明に係る映像信号処理方法は、少なくとも映像信号と文字情報とを含む情報信号から文字情報を抽出する工程と、該文字情報を映像信号に付加する工程と、特殊再生時には文字情報を制御コードに書き換える工程とを備え、上記特殊再生が正方向スローの場合は、上記付加工程では、映像の同じフィールドを繰り返し送る際に該映像信号に１フィールドに対応する文字情報を初回のみ付加した後は、繰り返されるフィールドに対して非出力コードを付加するものである。
【００２２】
また、この発明に係る情報信号処理方法においては、上記付加手段は、上記映像信号のブランキング期間内の第２１ラインＬ２１及び／又は第２８４ラインＬ２８４に上記文字情報を付加するものである。
【００２３】
そして、上記情報信号処理方法においては、上記特殊再生がポーズの場合には、上記制御コードは非出力コードであり、上記情報信号処理方法は、該文字情報に制御コードが２個続いて現れる場合には、２番目の制御コードは送らず、上記特殊再生がランダムアクセスの場合には、上記付加工程では、バッファに蓄積された文字情報を消去する制御コードを付加するものである。
【００２４】
上述の課題を解決するために、この発明に係る映像信号処理方法は、少なくとも映像信号と文字情報とを含む情報信号から文字情報を抽出する工程と、該文字情報を映像信号に付加する工程と、特殊再生時には文字情報を制御コードに書き換える工程とを備え、上記特殊再生がランダムアクセスの場合には、該文字情報に制御コードが現れてから文字情報を映像信号に付加するものである。
【００２５】
【発明の実施の形態】
以下、この発明に係る情報信号処理装置及び映像信号処理装置並びに情報信号処理方法の実施の形態を図面を参照して説明する。
【００２６】
この発明に係る情報信号処理装置又は映像信号処理装置は、図１に示すように、光ディスク１からＲＦ信号を再生するピックアップ２と、このピックアップ２により再生されたＲＦ信号が供給されこのＲＦ信号の２値化処理等をするＲＦ回路３と、ＲＦ回路３からの再生データが供給されエラー訂正等のデコード処理をするデータデコーダ４と、データデコーダ４によりデコード処理がされた再生データを主映像圧縮データ，副映像圧縮データ及び音声圧縮データに振り分けるデマルチプレクサ５とを備える。
【００２７】
また、この装置は、上記主映像圧縮データを伸張するビデオデコーダ６と、上記副映像圧縮データを伸張して主映像データと合成する副映像デコーダ７と、上記音声圧縮データを伸張するオーディオデコーダ８と、副映像デコーダ７からの主映像データと副映像データが合成された映像データが供給されＮＴＳＣ信号又はＰＡＬ信号に変換するデジタル／ＮＴＳＣ，ＰＡＬ変換回路（以下、単にＮＴＳＣ変換回路という。）９と、オーディオデコーダ８からのオーディオデータが供給されアナログ信号に変換するデジタル／アナログ変換回路（以下、単にＤ／Ａ変換回路という。）１０とを備える。
【００２８】
また、この装置は、ピックアップ２，ＲＦ回路３，データデコーダ４，デマルチプレクサ５，ビデオデコーダ６，副映像デコーダ７，オーディオデコーダ８，ＮＴＳＣ変換回路９及びＡ／Ｄ変換回路１０を制御するコントローラ１１と、このコントローラ１１とユーザーの操作入力を媒介するユーザーインターフェース１２と、コントローラ１１のデータ記憶部となるメモリ１３とを備える。
【００２９】
この装置は、光ディスク１として再生専用，追記型，書換型等のＤＶＤディスク及びＤＶＤ−ＶＩＤＥＯディスクを再生する。
【００３０】
ピックアップ２は、光ディスク１からＲＦ信号を再生してＲＦ回路３に供給する。
【００３１】
ＲＦ回路３は、このＲＦ信号の波形等化及び２値化等をしてデジタルデータとその同期信号等を生成する。このＲＦ回路３により生成されたデジタルデータ等は、データデコーダ４に供給される。
【００３２】
データデコーダ４は、ＲＦ回路３により生成されたデジタルデータに基づきデータの復調や誤り訂正等の処理を行う。データデコーダ４により復調等がされたデジタルデータは、デマルチプレクサ５に供給される。
【００３３】
また、このデータデコーダ４では、ＭＰＥＧ２のフォーマットにおけるシステムヘッダや、パックヘッダ等に含まれるパラメータ情報やＤＶＤフォーマットにおけるナビゲーションパック（Navigation Pack;NV_PCK）に含まれる所定の情報等を検出する。この検出したパラメータ情報等は、データデコーダ４からコントローラ１１に供給される。
【００３４】
また、このデータデコーダ４は、デジタルデータの出力段にトラックバッファ４ａを有している。このトラックバッファ４ａによりデータデコーダ４とデマルチプレクサ５の処理速度の違いが吸収される。
【００３５】
デマルチプレクサ５は、データデコーダ４によりエラー訂正のデコード処理等がされたデジタルデータを、主映像圧縮データと、副映像圧縮データと、音声圧縮データとに分割する。
【００３６】
ここで、主映像圧縮データとは、ＭＰＥＧ２の方式で圧縮された映像データであり、例えばＤＶＤのフォーマットにおけるビデオストリーム（Video stream）である。副映像圧縮データとは、主映像に合成される字幕画像等のデータであり、例えば、ＤＶＤのフォーマットにおけるサブピクチャストリーム（Sub-picture stream）である。音声圧縮データとは、ＭＰＥＧ２等の方式で圧縮等された音声データであり、ＤＶＤのフォーマットにおけるオーディオストリーム（Audio stream）である。
【００３７】
デマルチプレクサ５は、主映像圧縮データをビデオデコーダ６に供給し、副映像圧縮データを副映像デコーダ７に供給し、音声圧縮データをオーディオデコーダ８に供給する。
【００３８】
ビデオデコーダ６は、主映像圧縮データの復号処理を行い、この復号処理により伸張化された主映像データを生成する。このビデオデコーダ６は、復号処理を行うために３画面分のメモリを有している。すなわち、ＭＰＥＧ２のフォーマットにおけるＩピクチャ（Intra 符号化画像），Ｐピクチャ（Predictive符号化画像），Ｂピクチャ（Bidirectionally 符号化画像）を復号してビデオデコーダ６のメモリに格納し、さらに、この復号された各ピクチャをこのメモリ上から出力する。なお、このメモリは、３画面分に限らず、これ以上の容量があってもよい。ビデオデコーダ６は、生成した主映像データを副映像デコーダ７に供給する。
【００３９】
副映像デコーダ７は、副映像圧縮データの復号処理を行い、この復号処理をした副映像データをビデオデコーダ６から供給された主映像データに合成して、映像データを生成する。すなわち、副映像デコーダ７は、副映像データとして再生される字幕画像等を主映像と合成する。なお、この副映像デコーダ７は、副映像データが無い場合には、主映像データをそのまま映像データとして出力する。副映像デコーダ７は、生成した映像データをＮＴＳＣ変換回路９に供給する。
【００４０】
オーディオデコーダ８は、音声圧縮データの復号処理を行い、伸張した音声データを生成する。すなわち、オーディオデコーダ８は、音声圧縮データがＭＰＥＧ２のフォーマットで圧縮されていれば、これに対応した伸張処理をして、音声データを生成する。なお、この音声データがこのＭＰＥＧ２のフォーマットの他に、ＰＣＭ等のフォーマットで符号化されたものであれば、これに対応した復号処理を行う。オーディオデコーダ８は、生成した音声データをＡ／Ｄ変換回路１０に供給する。
【００４１】
ＮＴＳＣ変換回路９は、映像データをデジタルデータからＮＴＳＣやＰＡＬ等のテレビジョン信号に変換して出力する。この出力をモニタ等に供給することにより、ユーザーが記録媒体１から再生した映像を視聴することができる。
【００４２】
Ａ／Ｄ変換回路１０は、デジタルデータである音声データをアナログの音声データに変換して出力する。この出力をスピーカ等に供給することにより、ユーザーが記録媒体１から再生した映像を視聴することができる。
【００４３】
コントローラ１１は、ピックアップ２，ＲＦ回路３，データデコーダ４，デマルチプレクサ５，ビデオデコーダ６，副映像デコーダ７，オーディオデコーダ８，ＮＴＳＣ変換回路９及びＡ／Ｄ変換回路１０の制御を行う。
【００４４】
また、このコントローラ１１には、操作パネルやリモートコントローラであるユーザーインターフェース１２を介して操作入力がされ、この操作入力に基づき各回路の制御を行う。
【００４５】
また、コントローラ１１は、メモリ１３に各制御データ等を記憶させ、メモリ１３が記憶したデータに基づき各回路の制御を行う。
【００４６】
ＤＶＤ−ＶＩＤＥＯディスクでは、図２に示すように、ビデオオブジェクトセット（Video Object Set; VOBS）単位で主映像データ，副映像データ，音声データを管理する。このＶＯＢＳは、例えば、映画の１作品等の単位となる。このＶＯＢＳは、複数のビデオオブジェクト（Video Object;VOB）から構成されている。このＶＯＢは、各データがディスク上に１群として記録されている単位である。また、このＶＯＢＳは、複数のセル（Cell）で構成されている。このＣｅｌｌは、例えば映画における１シーンや１カット等の単位となり、１つのＣｅｌｌが数分から１０数分という時間の単位である。また、ＤＶＤでは、例えば、１つの映画を複数のストーリー展開で見ることができるマルチストーリといったフォーマットやいわゆるペアレンタルロック（parental lock ）といわれる暴力シーンなどの教育上好ましくないシーンをとばしたりする機能を備えており、このような機能は、このＣｅｌｌの組み合わせにより作成される。
【００４７】
Ｃｅｌｌは、複数のビデオオブジェクトユニット（Video Object Unit;VOBU）により構成されている。このＶＯＢＵは、動画像で０．４から１．２秒の単位であり、このＶＯＢＵの中にＭＰＥＧ２のフォーマットにおける複数のＧＯＰ（Group Of Pictures）が含まれることになる。
【００４８】
このＶＯＢＵは、このＶＯＢＵの管理情報を有するパックであるナビゲーションパックＮＶ＿ＰＣＫと、主映像を有するパックであるビデオパック（Video Pack;V_PCK）と、音声データを有するパックであるオーディオパック（Audio Pack; A_PCK）と、副映像データを有するパックであるサブピクチャパック（SubPicture Pack;SP_PCK）とにより構成されている。このビデオパックＶ＿ＰＣＫ、オーディオパックＡ＿ＰＣＫ、サブピクチャパックＳＰ＿ＰＣＫは、それぞれＭＰＥＧ２等のフォーマットで圧縮されて記録媒体１上に記録されている。
【００４９】
次に、図３によって、映像と文字情報との対応関係を説明する。
テレビジョン受像器１７の表示画面１７ａに表示される映像は、映像信号における図中Ｆ１〜Ｆ８で示されるフィールドに対応している。映像信号は、これら一連のフィールドから構成され、プレイのような通常の再生時においては、表示画面１７ａの映像は、フィールドを単位として順に表示されていく。
【００５０】
映像信号のフィールドは、水平走査線等のラインによって構成されるが、このライン全てが有効画面に対応しているのではなく、一部は画面に表示されないブランク期間に対応している。
【００５１】
上述の第２１ラインＬ２１は、このブランク期間に相当するので、このラインには映像以外の情報を書き込む余地がある。そこで、この第２１ラインＬ２１には、文字情報として２バイトの文字コードが符号化される。
【００５２】
図中には、各フィールドに対応して各２バイトの該文字情報が表示されている。即ち、“Ｈｉ！  Ｊｏｎ．”等は各１バイトのアスキー（ascii ）コードであり、“Ｆｌｉｐ”は２バイトの制御コードである。この“Ｆｌｉｐ”の意味については後述する。
【００５３】
これらの文字情報は、図４中の（ａ）における“Ｈｉ”、（ｂ）における“Ｈｉ！  ”、（ｃ）おける“Ｈｉ！  Ｊｏｎ．”に示されているように、映像信号の各フィールドについて、順に復号されてバッファに蓄積される。
【００５４】
文字情報は、バッファに蓄積された後に、図５中の（ａ）に示すように、テレビジョン受像器１７の表示画面１７ａの映像の一部に表示される。図中の文字情報は、一方の人物が他方の人物に“Ｈｉ！  Ｊｏｎ．”と挨拶している場面である。
【００５５】
また、文字情報は、図５中の（ｃ）のウインドウ１７ｂ中に表示させ、さらにこのウインドウ１７ｂを、図５中の（ｂ）に示すように、表示画面１７ａに表示させることもできる。
【００５６】
次に、ポーズの場合にテレビジョン受像器１７の表示画面１７ａに映像に対応して文字情報を正常に表示させるような映像信号を生成する情報信号処理方法を説明する。
【００５７】
図６中の（ａ）に示す、プレイのような通常の再生時においては、映像信号のフィールドは、Ｆ１、Ｆ２、Ｆ３と、順に送られていく。そして、各フィールドには、文字情報が符号化されている。
【００５８】
これに対して、ポーズにおいては、図６中の（ｂ）に示すように、途中で１コマ送られているのを除くと、同一のフィールドF１又はF２が繰り返して送られている。このような場合、各フィールドに対応する文字情報をそのまま符号化すると、これらのフィールドが繰り返し送られることに応じて該文字情報が繰り返し表示されることになる。
【００５９】
このような不具合を防止するために、映像信号に符号化する文字情報に一定の処理を施すことが必要になる。即ち、フィールドに対応する文字情報を初回のみ符号化し、以後はフィールドが変更されない限り非出力コード“ＮＯＰ”を送ることにする。
【００６０】
ここで、図６中の（ｂ）においては、非出力コード“ＮＯＰ”は、２バイト（１ワード）分の幅を取っているが、１バイトのコードとすることもできる。
【００６１】
一方、映像を１コマ進める場合には、即ちフィールドを１進める場合には、同じく図６中の（ｂ）に示すように、変更されたフィールドに文字情報を符号化し、以後の同じフィールドが続く限り非出力コード“ＮＯＰ”を符号化することにする。
【００６２】
このような操作によって、映像を１コマ進める際、テレビジョン受像器１７の表示画面１７ａに文字情報が重複して表示されることを回避することができる。
【００６３】
続いて、正の方向に緩慢に映像を送る正方向スローについて説明する。
通常の再生であるプレイにおいては、図７中の（ａ）に示すように、映像信号のフィールドは順に１コマづつ送られる。
【００６４】
これ対して、正方向スローは、図７中の（ｂ）に示すように、同じフィールドが例えば４回繰り返されている。このような場合には、フィールドに対応する文字情報が繰り返して表示されることがないように、２回目以降の該フィールドの文字情報には非出力コード“ＮＯＰ”を符号化している。
【００６５】
ところで、文字情報の表示制御等を行わせるための制御コードは、２バイトであり、１フィールドに１つの制御コードが送られる。このような制御コードは、フォーマットにより２回連続して送ってもよいとされているが、文字多重デコーダの例では、２回目の制御コードは無視するようになっている。
【００６６】
ところが、スローの場合に、１回目の制御コードの後に、非出力コードを出力し、その後に２回目の制御コードを出力すると、誤動作が生じる虞れがある。そこで、２回目の制御コード、正確には偶数番目の制御コードは送らないようにする。
【００６７】
これは、連続する同一制御コードでは、２番目の制御コードはデコーダでは無視されるようになっているので、一旦非出力コード“ＮＯＰ”をエンコードしているので、連続する同一制御コードとデコーダは認識しないためである。
【００６８】
一方、ランダムアクセス時においては、一連の文字情報の途中から表示されるので、表示が乱れる虞れがある。そこで、バッファのメモリをクリアすると共に、新たな制御コードが送られるまで、文字情報の表示を禁止している。
【００６９】
即ち、第１チャンネル及び第２チャンネル共に、“表示メモリ消去”制御コードを第２１ラインＬ２１及び／又は第２８４ラインＬ２８４に符号化する。続いて、第１チャンネル及び第２チャンネル共に“非表示メモリ消去”制御コードを第２１ラインＬ２１及び／又は第２８４ラインＬ２８４に符号化する。そして、第１チャンネル及び第２チャンネル共に、“テキスト再スタート”制御コードを第２１ラインＬ２１及び／又は第２８４ラインＬ２８４に符号化する。上記チャンネルについては後述する。
【００７０】
ランダムアクセス後は、各フィールド毎にいずれかのチャンネルの制御コードが発見されるまで、第２１ラインＬ２１及び／又は第２８４ラインＬ２８４にエンコードしないようにする。こうすることにより不完全な表示をさせないようにする。
【００７１】
また、ランダムアクセス時においては、該文字情報に制御コードが現れてから文字情報を映像信号に付加、即ち符号化することにより、不完全な乱れた表示を防止することができる。
【００７２】
ここで、映像信号のフィールドと、このフィールドに符号化される文字情報のチャンネルについて説明する。
【００７３】
映像信号に含まれる映像は上述したフィールドを単位とし、このフィールドの２個（以下、第１のフィールド、第２のフィールドという。）一組で１フレームとなる。このフレームは、映像信号の１周期に対応している。
【００７４】
文字情報が符号化される第２１ラインＬ２１と、第２８４ラインＬ２８４は、それぞれ上記第１のフィールド及び第２のフィールドのブランク期間に対応している。
【００７５】
これまでは、説明を簡略化するために、一連の文字情報が毎フィールド送られるものとして説明したが、実際の文字多重フォーマットにおいては、第１のフィールドと第２のフィールドとで異なるチャンネルの文字情報を転送している。即ち、フィールドと文字情報との関係は、図８に示すようになる。
【００７６】
即ち、文字情報は、Ｆ１、Ｆ３、Ｆ５等の第１のフィールドに対応する第２１ラインＬ２１と、Ｆ２、Ｆ４、Ｆ６等の第２のフィールドに対応する第２８４ラインＬ２８４に対して独立に符号化することができる。また、例えば第１のフィールドであっても、フィールドによって文字情報ＣＣ１、文字情報ＣＣ２のような異なったチャンネルの文字情報を符号化することができる。
【００７７】
ここで、上記第１のフィールド及び第２のフィールドに符号化できる文字情報等のチャンネルについて説明する。
【００７８】
第１のフィールドに対応する第１のチャンネルとしては、図９に示すように、文字情報ＣＣ１、文字情報ＣＣ２、テキストＴ１、テキストＴ２の内から２個を選択することができる。第２のフィールドに対応する第２のチャンネルとしては、文字情報ＣＣ３、文字情報ＣＣ４、テキストＴ３、テキストＴ４、拡張データＥＤＳの内から２個を選択することができる。
【００７９】
このように、各フィールドに文字情報及びテキストがマルチプレクスされて構成されている。そして各チャンネルの識別子を持った制御コードの後に続く実際の文字データは、そのチャンネルのデータであり、それは別のチャンネルの制御コードが現れるまで続く。
【００８０】
もし、文字情報ＣＣ１、文字情報ＣＣ２、テキストＴ１、テキストＴ２の中で使用されることのないことが予め分かっている場合は、消去のための制御コードをエンコードする順番を変えて、その使われることのないチャンネルの制御コードのエンコードを最後に行うことでも、同様に不完全な表示をさせないようにすることができる。
【００８１】
逆にすべてのチャンネルに消去のための制御コードをエンコードする場合、それぞれの制御コードのエンコードはどのような順番で行ってもよい。
【００８２】
ここで、テキストとは文字列をバッファに蓄積せずに順に表示する態様である。ランダムアクセスの際にはテキストの表示が乱れないように、再スタートコード（Start Text command）が与えられる。この再スタートコードが与えられると、表示されているテキストは一旦消去される。
【００８３】
また、拡張データとはアスキー（ascii ）コード等の通常のコード以外に拡張されたデータである。
【００８４】
上述したように、文字情報は一旦バッファに蓄えられた後で、表示画面１７ａに表示される。この装置には、上記の４チャンネルの文字情報に対応して、文字情報を納めるバッファも、図１０に示すように、４チャンネル備えられている。
【００８５】
図中、バッファ２１は文字情報ＣＣ１に、バッファ２２は文字情報ＣＣ２に、バッファ２３は文字情報ＣＣ３に、バッファ２４は文字情報ＣＣ４にそれぞれ対応している。
【００８６】
これらのバッファは、それぞれ２個のバッファから構成されている。これらの２個のバッファは、一方がバッファの内容が表示画面１７ａに表示される表示バッファとなり、他方は、表示されない非表示バッファとなっている。
【００８７】
非表示バッファには、文字情報が順に蓄積されていて、この蓄積が終わると、非表示バッファは表示バッファに切り換えられる。この切り換えは、制御コード“Ｆｌｉｐ”にてなされる。
【００８８】
続いて、ポーズ時における上述のような文字情報に係る方法信号処理の一連の工程を、図１１のフローチャートを参照して説明する。
【００８９】
ステップＳ１０１においては、ユーザインターフェース１２から、ポーズ命令がコントローラ１１に発行される。即ち、ユーザが与えるポーズの指示は、ユーザインターフェース１２を経由してコントローラ１に伝えられる。この作業が終了すると、ステップＳ１０２に進む。
【００９０】
次のステップＳ１０２においては、コントローラ１１は、ビデオデコーダ６、副映像デコーダ７、オーディオデコーダ８をポーズさせる。これにより、映像情報等の流れが停止する。この作業が終了すると、ステップＳ１０３に進む。
【００９１】
次のステップＳ１０３においては、各デコーダのポーズしたことが確認されたら、コントローラ１１は、ＮＴＳＣエンコーダ９の文字情報をエンコードブロックへ、第２１ラインＬ２１、第２８４ラインＬ２８４とともに非出力コードを与える。これにより、文字情報の表示は実質的に抑制される。これらの作業が終了すると、ステップＳ１０４に進む。
【００９２】
次のステップＳ１０４においては、文字情報エンコードブロックは、第２１ラインＬ２１と第２８４ラインＬ２８４に非出力コードをエンコード（符号化）する。これによって、映像信号の１周期が生成された。この作業が終了すると、この一連の工程を終了する。
【００９３】
以上述べたように、ポーズ時においては、映像情報等の流れが停止され、映像情報には非出力コードが符号化される。
【００９４】
次に、１コマ送り際の情報信号処理の一連の工程を、図１２に示すフローチャートを参照して説明する。
【００９５】
ステップＳ２０１においては、ユーザインターフェース１２から、１コマ送り命令がコントローラ１１に発行される。即ち、ユーザの指示は、ユーザインターフェース１２を経由してコントローラ１に伝えられる。そして、次のステップＳ２０２に進む。
【００９６】
次のステップＳ２０２においては、コントローラ１１は、ビデオデコーダ６、副映像デコーダ７、オーディオデコーダ８を１コマ分進ませる。即ち、映像信号の１フィールドに対応する作業が行われ、これに続くステップＳ２０３に進む。
【００９７】
次のステップＳ２０３においては、次に第２１ラインＬ２１にエンコードさせるデータが、直前に第２１ラインＬ２１にエンコードしたデータであり、かつ、それらはコントロールコード（制御コード）であるという条件によって分岐する。この条件を満たす場合には、“ＹＥＳ”としてステップＳ２０５に進み、この条件を満足しない場合には“ＮＯ”としてステップＳ２０４に進む。
【００９８】
ステップＳ２０４においては、コントローラ１１は、ＮＴＳＣエンコーダ９の文字情報エンコードブロックへ次に表示させるデータを与え、次のステップＳ２０６に進む。
【００９９】
ステップＳ２０５においては、コントローラ１１は、ＮＴＳＣエンコーダ９の文字情報エンコードブロックへの非出力コードを与える。そして、次のステップＳ２０４に進む。
【０１００】
ステップＳ２０６においては、次に第２８４ラインＬ２８６にエンコード（符号化）させるデータが直前に第２８４ラインＬ２８４にエンコードしたデータと同じであり、かつ、それらは制御コードであるという条件によって分岐する。この条件を満たす場合には、“ＹＥＳ”としてステップＳ２０７に進み、この条件を満足しない場合には、“ＮＯ”としてステップＳ２０８に進む。
【０１０１】
ステップＳ２０７においては、コントローラ１１はＮＴＳＣエンコーダ９の文字情報エンコードブロックへ次に出力させるデータを与え、この一連の工程を終了する。
【０１０２】
ステップＳ２０８においては、コントローラ１１は、ＮＴＳＣエンコーダ９の文字情報エンコードブロックへの非出力コードを与える。そして、ステップＳ２０７に進む。
【０１０３】
以上述べたように、この１コマ送りの一連の工程においては、第２１ラインＬ２１及び第２８４ラインＬ２８４に直前に符号化した文字情報が制御コードである場合に二重に送らないようにしている。そして、これ以外の場合には文字情報を送っている。
【０１０４】
ここで、正方向スローに係る一連の工程を、図１３に示すフローチャートを参照して説明する。
【０１０５】
ステップＳ３０１においては、１コマ送りするときの処理を行う。この処理を終えると、ステップＳ３０２に進む。
【０１０６】
ステップＳ３０２においては、正方向スローを続けるという条件によって分岐する。そして、この条件を満たす場合には、“ＹＥＳ”として、ステップＳ３０３に進む。この条件を満足しない場合には、“ＮＯ”として、この一連の工程を終了する。
【０１０７】
ステップＳ３０３においては、一定時間待つ。そして、この一定時間が経過すると、ステップＳ３０１に進む。
【０１０８】
このように、正方向スローにおいては、通常のプレイに一定時間待つステップＳ３０３が加わったことが異なっている。
【０１０９】
次に、ランダムアクセス後に通常の再生であるプレイを開始した場合の、情報信号処理方法に係る一連の工程を、図１４に示すフローチャートを参照して説明する。
【０１１０】
ステップＳ４０１においては、コントローラ１１は、ＮＴＳＣエンコーダ９にＣＣ１、ＣＣ２、ＣＣ３、ＣＣ４、Ｔ１、Ｔ２、Ｔ３、Ｔ４の文字情報を消去するそれぞれの制御コードを加える。そして、次のステップＳ４０２に進む。
【０１１１】
ステップＳ４０２においては、最初の文字情報データは第２１ラインＬ２１用のデータであるという条件によって分岐する。即ち、この条件を満たす場合には、“ＹＥＳ”としてステップＳ４０３に進む。この条件を満足しない場合には、“ＮＯ”としてステップＳ４０６に進む。
【０１１２】
ステップＳ４０３においては、第２１ラインＬ２１用文字情報データにおいて、ランダムアクセス後における再生開始以来制御コードはなく、かつ、つぎにエンコード（符号化）すべきデータは制御コードでないという条件によって分岐する。即ち、この条件を満たす場合には、“ＹＥＳ”としてステップＳ４０４に進む。この条件を満足しない場合には、“ＮＯ”としてステップＳ４０５に進む。
【０１１３】
ステップＳ４０４においては、コントローラ１１は、ＮＴＳＣエンコーダ９に非出力コードを与える。この作業が終了すると、ステップＳ４０６に進む。
【０１１４】
ステップＳ４０４においては、コントローラ１１は、ＮＴＳＣエンコーダ９に次にエンコードすべきデータを与える。この作業が終了すると、ステップＳ４０６に進む。
【０１１５】
ステップＳ４０６においては、第２８４ラインＬ２８４用文字情報データにおいて、ランダムアクセス後における再生開始以来制御コードはなく、かつ、つぎにエンコードすべきデータは制御コードでないという条件によって分岐する。即ち、この条件を満たす場合には、“ＹＥＳ”としてステップＳ４０７に進む。この条件を満足しない場合には、“ＮＯ”としてステップＳ４０８に進む。
【０１１６】
ステップＳ４０７においては、コントローラ１１は、ＮＴＳＣエンコーダ９に非出力コードを与える。この作業が終了すると、ステップＳ４０３に進む。
【０１１７】
ステップＳ４０８においては、コントローラ１１は、ＮＴＳＣエンコーダ９に次にエンコードすべきデータを与える。この作業が終了すると、ステップＳ４０３に進む。
【０１１８】
以上述べたように、この再生開始時の一連の手順においては、文字情報が中途から表示されると脈絡がなくなることがあるので、文字情報の区切りとなる制御コードが現れてから、文字情報を出力するものである。
【０１１９】
ところで、本発明は、上述したようなディジタル映像情報信号の場合のみならず、アナログ映像信号にも適用することができる。
【０１２０】
すなわち、文字情報が付加されたアナログ映像信号を処理する映像信号処理装置に本発明を適用する場合には、上記文字情報を書き換える文字情報書き換え手段と、上記文字情報書き換え手段を制御し、特殊再生時には文字情報の文字コードを制御コードに書き換える制御手段を備えるようにすればよい。
【０１２１】
ここで、上記付加手段は、上記映像信号のブランキング期間内の第２１ラインＬ２１及び／又は第２８４ラインＬ２８４上に文字情報を付加するものである。
【０１２２】
上記特殊再生がポーズの場合には、上記制御コードは非出力コードとする。上記特殊再生が正方向スローの場合は、上記付加手段は、映像を１コマ送る際に該映像信号に文字情報を１ワード付加した後は、非出力コードを付加するようにする。該文字情報に制御コードが２個続いて現れる場合には、２番目の制御コードは送らない。さらに、上記特殊再生がランダムアクセスの場合には、上記付加手段は、バッファに蓄積された文字情報を消去する制御コードを付加し、該文字情報の制御コードが現れるまでは、非出力コードを付加するものである。
【０１２３】
【発明の効果】
上述したように、本発明に係る情報信号処理装置及び映像信号処理装置並びに情報信号処理方法は、通常の再生時のみならず、スロー、ポーズ、ランダムアクセス等の特殊再生時においても、文字多重機能を有するテレビジョン受像器の表示画面に、映像に対応する文字情報が正常に表示されるような映像信号を供給する。
【０１２４】
従って、この情報信号処理装置は、該映像に対応する文字情報を表示しながら特殊再生を行うことができるので、操作者の負担を軽減し、作業の効率を向上させる。
【図面の簡単な説明】
【図１】情報処理装置又は映像信号処理装置の概略的な構成を示すブロック図である。
【図２】上記装置に情報信号を供給する媒体の一例であるＤＶＤ−ＶＩＤＥＯディスクのデータ構造を示すデータ構造図である。
【図３】上記情報信号の映像情報のフィールドと文字情報との関係を示すタイミングチャートである。
【図４】上記文字情報がバッファに蓄積される状態を模式的に示す図である。
【図５】上記装置の備えるテレビジョン受像器の表示画面に表示される、文字情報が重畳された映像を示す図である。
【図６】ポーズ状態における上記フィールドと文字情報との関係を示すタイミングチャートである。
【図７】正方向スロー状態における上記フィールドと文字情報との関係を示すタイミングチャートである。
【図８】上記映像信号のフィールドと各種文字情報との関係を示すタイミングチャートである。
【図９】上記装置に係る映像信号にエンコードされた文字情報の種類を示す図である。
【図１０】文字情報を格納するバッファを模式的に示す図である。
【図１１】ポーズ状態における情報信号処理方法の一連の手順を示すフローチャートである。
【図１２】映像を１コマ進める場合における情報信号処理方法の一連の手順を示すフローチャートである。
【図１３】正方向スロー状態における情報信号処理方法の一連の手順を示すフローチャートである。
【図１４】再生開始時における情報信号処理方法の一連の手順を示すフローチャートである。
【図１５】映像信号のラインを示すタイミングチャートである。
【図１６】映像信号のラインと、テレビジョン受像器の表示画面に表示されるテキスト又は文字情報との関係を模式的に示す図である。
【符号の説明】
１  光ディスク、５  デマルチプレクサ、６  ビデオデコーダ、７  副映像デコーダ、８  オーディオデコーダ、９  ディジタル／ＮＴＳＣ，ＰＡＬ変換回路、１７  テレビジョン受像器
【図１】
0003948068.tif 000002
【図２】
0003948068.tif 000003
【図３】
0003948068.tif 000004
【図４】
0003948068.tif 000005
【図５】
0003948068.tif 000006
【図６】
0003948068.tif 000007
【図７】
0003948068.tif 000008
【図８】
0003948068.tif 000009
【図９】
0003948068.tif 000010
【図１０】
0003948068.tif 000011
【図１１】
0003948068.tif 000012
【図１２】
0003948068.tif 000013
【図１３】
0003948068.tif 000014
【図１４】
0003948068.tif 000015
【図１５】
0003948068.tif 000016
【図１６】
0003948068.tif 000017